(57)【特許請求の範囲】
【請求項１】
電波を受信する受信アンテナをそれぞれ備えた複数台の照明装置と、操作を行う操作入力部が設けられたリモコン本体および電波を放射する送信アンテナを備え電波を用いて照明装置の点灯制御を操作するリモコン装置とを具備し、リモコン装置は、リモコン本体に開閉自在に取り付けられたカバーを備え、カバーが開位置にあるときに操作入力部が操作された場合と、閉位置にあるときに操作入力部が操作された場合とで照明装置の操作内容を変え、送信アンテナは、電波の到達範囲が異なる２つのアンテナ部を備え、リモコン装置には、カバーが開位置にあるときに２つのアンテナ部の一方を選択し閉位置にあるときに他方を選択し選択したアンテナ部に電波を放射させる選択手段が設けられていることを特徴とする照明システム。
【請求項２】
前記送信アンテナは、互いに放射特性の異なる主アンテナと副アンテナとを備え、前記選択手段は、前記一方のアンテナ部として主アンテナを単独で用い、前記他方のアンテナ部として主アンテナと副アンテナとを併せて用いることを特徴とする請求項１記載の照明システム。
【請求項３】
前記２つのアンテナ部の一方は、指向性を有することを特徴とする請求項１または請求項２に記載の照明システム。
【発明の詳細な説明】
【技術分野】
【０００１】
本発明は、室内の天井や床や壁などにそれぞれ照明装置を配置し、照明装置で室内を照明するに当って点灯させる照明装置を選択したり調光点灯における調光比を設定したりする照明システムに関するものである。
【背景技術】
【０００２】
近年、照明装置を用いた室内の照明において、室内の天井や床や壁など異なる場所にそれぞれ照明装置を配置し、点灯させる照明装置を変えたり調光比の設定を変えたりして配光を変え、また、互いに色温度の異なる照明装置を用い点灯させる照明装置を変えることで色温度を変え、配光や色温度を変えることにより生活場面に応じた種々の照明シーンを作り出すことが望まれるようになった。
【０００３】
照明シーンを作り出すに当っては、例えば、図１１に示すように、複数台の照明装置１と、照明装置１を操作するコントローラ７０とで照明システムを作り、コントローラ７０で照明装置１を操作して照明装置１を点灯、消灯または調光点灯させる。ここでは、照明装置１として、天井に設置された主照明であるシーリングライト１ａと、天井に設定されたダウンライト１ｂと、床に設置された足元灯１ｃと、床に置かれた照明スタンド１ｄと、壁に設置された壁灯１ｅとを図示する。
【０００４】
コントローラ７０は、調光比を設定する複数個（図示例では、４個）の操作入力部７０を備え、室内の壁に設置されて操作される。コントローラ７０は、点灯、消灯や調光点灯などの点灯制御を指示する制御信号を送出可能な線でシーリングライト１ａおよびダウンライト１ｂと接続されている。足元灯１ｃ、照明スタンド１ｄおよび壁灯１ｅには、コントローラ７０は、電波を用いて制御信号を入力する。
【０００５】
ところで、図１に示す照明システムには、照明装置１を複数のグループに分け、グループごとに一括して照明装置１を操作して照明シーンを作る技術が用いられている。この技術の一例としては、各照明装置１にそれぞれ固有のＩＤ番号を設定し、各ＩＤ番号とコントローラ７０に設けた各操作入力部７１との対応関係をコントローラ７０に登録するものがある。コントローラ７０は、操作された操作入力部７１に対応するＩＤ番号を制御信号に含めて出力し、制御信号に含まれたＩＤ番号と同一のＩＤ番号を有する照明装置１を操作する。
【０００６】
図１１に示す照明システムでは、４個の操作入力部７１に対して、シーリングライト１ａから成る照明群Ａと、ダウンライト１ｂから成る照明群Ｂと、足元灯１ｃから成る照明群Ｃと、照明スタンド１ｄおよび壁灯１ｅから成る照明群Ｄとの４つの照明群Ａ〜Ｄに照明装置１をグループ分けしている。
【０００７】
グループごとに一括して照明装置を操作する技術の他の例としては、各照明装置にチャンネル切換スイッチをそれぞれ設け、チャンネル切換スイッチにより各照明装置にそれぞれチャンネルを設定し、チャンネルにより照明装置をグループ分けするものがある。コントローラにはチャンネル選択スイッチが設けられ、操作入力部が操作されると、チャンネル選択スイッチで選択されたチャンネルと同一のチャンネルを有する照明装置が操作される。
【０００８】
照明シーンを作る技術としては、ＩＤ番号やチャンネルを用いて照明装置をグループごとに一括して操作する上述の技術の他、指向性を有するアンテナを備えたリモコン装置（例えば、特許文献１参照）を用い、リモコン装置を照明装置に向けて照明装置を１台ずつ操作する技術がある。
【先行技術文献】
【特許文献】
【０００９】
【特許文献１】特開２００３−３４７８１５号公報
【発明の概要】
【発明が解決しようとする課題】
【００１０】
ところで、ＩＤ番号やチャンネルを用いて照明装置をグループ分けする技術を用いた照明システムでは、照明装置をグループごとに一括して操作するから、リモコン装置を用いて照明装置を１台ずつ操作して照明シーンを作るよりも、照明シーンを作るためにかかる手間を減らすことができる。
【００１１】
しかしながら、ＩＤ番号を用いてグループ分けした照明システムでは、各グループと各操作入力部との対応関係が分かり難く、一方、チャンネルを用いてグループ分けした照明システムでは各グループと各チャンネルとの対応関係が分かり難い。つまり、グループ分けを行う技術を用いた照明システムでは、操作対象としたい照明装置以外の照明装置を誤って操作する虞がある。操作対象の照明装置以外の照明装置を誤って操作することを防止するには、例えば、図１２に示すようにグループ名（「主照明」、「ダウンライト」、「スタンド・壁」、「足元」）を使用者がコントローラ７０にメモ書きするなどの必要があって面倒である。
【００１２】
また、ＩＤ番号を用いてグループ分けを行う技術を用いた照明システムでは、各ＩＤ番号と各操作入力部との対応関係をコントローラに登録する登録作業が必要になる。この登録作業は、例えば、各照明装置に、自己に付与されたＩＤ番号をコントローラに送信する送信部と、送信部にＩＤ番号を送信させる送信スイッチとをそれぞれ設け、送信スイッチを操作してコントローラにＩＤ番号を送信することにより行う。送信スイッチを操作するなどの物理的操作を照明装置ごとに行わなければならないから、上述の登録作業には手間がかかる。
【００１３】
一方、チャンネルを用いてグループ分けを行う技術を用いた照明システムでは、チャンネル切換スイッチにより各照明装置にチャンネルを設定する設定作業が必要になる。チャンネル切換スイッチを操作するなどの物理的操作を照明装置ごとに行わなければならないから、この設定作業には手間がかかる。
【００１４】
上述のように、ＩＤ番号やチャンネルを用いて照明装置をグループ分けしグループごとに一括して操作して照明シーンを作る技術を用いた照明システムでは、リモコン装置を用いて照明装置を１台ずつ操作するよりも照明シーンを作るのにかかる手間を減らすことができるが、上述の登録作業や設定作業に手間がかかり、また、操作対象以外の照明装置を誤って操作する虞があるという問題があった。
【００１５】
本発明は上記事由に鑑みて為されたものであり、その目的は、照明装置を１台ずつ操作して照明シーンを作るよりも照明シーンを作る際にかかる手間を減らすことができ、ＩＤ番号の登録作業やチャンネルの設定作業を必要とせず、また、操作対象以外の照明装置を誤って操作する虞を低減できる照明システムを提供することにある。
【課題を解決するための手段】
【００１６】
請求項１に記載の発明は、電波を受信する受信アンテナをそれぞれ備えた複数台の照明装置と、操作を行う操作入力部が設けられたリモコン本体および電波を放射する送信アンテナを備え電波を用いて照明装置の点灯制御を操作するリモコン装置とを具備し、リモコン装置は、リモコン本体に開閉自在に取り付けられたカバーを備え、カバーが開位置にあるときに操作入力部が操作された場合と、閉位置にあるときに操作入力部が操作された場合とで照明装置の操作内容を変え、送信アンテナは、電波の到達範囲が異なる２つのアンテナ部を備え、リモコン装置には、カバーが開位置にあるときに２つのアンテナ部の一方を選択し閉位置にあるときに他方を選択し選択したアンテナ部に電波を放射させる選択手段が設けられていることを特徴とする。
【００１７】
請求項２に記載の発明では、請求項１の発明において、前記送信アンテナは、互いに放射特性の異なる主アンテナと副アンテナとを備え、前記選択手段は、前記一方のアンテナ部として主アンテナを単独で用い、前記他方のアンテナ部として主アンテナと副アンテナとを併せて用いることを特徴とする。
【００１８】
請求項３に記載の発明では、請求項１または請求項２の発明において、前記２つのアンテナ部の一方は、指向性を有することを特徴とする。
【発明の効果】
【００１９】
請求項１の構成によれば、選択手段は、カバーの位置（開位置または閉位置）に応じて２つのアンテナ部の一方を選択し選択した方のアンテナ部に電波を放射させ、２つのアンテナ部は、電波の到達範囲が互いに異なるから、カバーを開く（または閉じる）ことにより電波の到達範囲を広くして複数台の照明装置を一括して点灯させた後、カバーを閉じる（または開く）ことにより電波の到達範囲を狭くして消灯させたい照明装置など操作が必要な照明装置のみを個々に操作して照明シーンを作ることができ、その結果、照明装置を１台ずつ操作して照明シーンを作るよりも照明シーンを作る際にかかる手間を減らすことができ、また、ＩＤ番号の登録作業やチャンネルの設定作業を行うことなく照明シーンを作ることができ、さらに、操作対象の照明装置以外の照明装置を誤って操作する虞を低減できるという利点がある。
【００２０】
請求項２の構成では、選択手段は、一方のアンテナ部として主アンテナを単独で用い、他方のアンテナ部として主アンテナと副アンテナとを併せて用い、カバーの位置によらず主アンテナを常に用いるから、主アンテナを選択する構成を選択手段に設ける必要がなく、選択手段の構成を簡単にできるという利点がある。
【００２１】
請求項３の構成では、２つのアンテナ部の一方は指向性を有し指向性により電波の到達範囲を変えるから、電波の到達距離を長くでき、その結果、より遠くから照明装置をリモコン装置で操作できるという利点がある。
【図面の簡単な説明】
【００２２】
【図１】本実施形態の平面図であり、（ａ）は複数台の照明装置を一括して操作する場合を示す図で、（ｂ）は特定の照明装置を操作する場合を示す図である。
【図２】同上の照明装置のブロック図である。
【図３】同上のリモコン装置のブロック図である。
【図４】同上のリモコン装置の斜視図であり、（ａ）はカバーを閉じた状態の図で、（ｂ）はカバーを開いた状態の図である。
【図５】同上の基板の斜視図であり、（ａ）はカバーを閉じた状態の図で、（ｂ）はカバーを開いた状態の図である。
【図６】同上の主アンテナの示す基板の斜視図である。
【図７】同上の副アンテナの示す基板の斜視図である。
【図８】同上のリモコン装置の斜視図である。
【図９】同上の別形態を示すカバーと基板の斜視図である。
【図１０】同上のさらに別形態を示すカバーと基板の斜視図である。
【図１１】従来例を示す平面図である。
【図１２】同上のコントローラの正面図である。
【発明を実施するための形態】
【００２３】
本実施形態の照明システムは、図１に示すように、複数台の照明装置１と、照明装置１を電波で操作するリモコン装置２とを備えた構成を有する。
【００２４】
図示例では、照明装置１に、室内の天井に設置されたシーリングライト１ａおよびダウンライト１ｂと、床に設置された足元灯１ｃと、床に立てられた照明スタンド１ｄと、壁に設置された壁灯１ｅとを用いている。
【００２５】
各照明装置１は、図２に示すように、ランプ１１と、ランプ１１の点灯、消灯または調光点灯などの点灯制御を行う照明制御回路１２とをそれぞれ備える。
【００２６】
また、各照明装置１は、リモコン装置２からの電波を受信する受信アンテナ１３と、受信アンテナ１３に接続するＲＦ給電部１４と、ＲＦ給電部１４を介して受信アンテナ１３に接続され入力した信号（後述するＲＦ信号）を復調して信号（後述する制御信号）を出力する高周波回路１５と、高周波回路１５から制御信号が入力される制御回路１６とをそれぞれ備える。
【００２７】
制御回路１６には、入力された制御信号と、点灯、消灯や調光点灯などのランプ１１の制御内容との対応関係を記憶した制御テーブル１６ａが設けられる。制御回路１６は、入力した制御信号に応じた制御内容でランプ１１を制御するように照明制御回路１２を操作する。
【００２８】
また、照明装置１には、ランプ１１とは異なる光色で発光する表示灯１７ａを備えた表示部１７が設けられる。図示例では、表示灯１７ａに発光ダイオードを用いている。表示灯１７ａは、制御回路１６により点灯制御され、高周波回路１５から制御信号が入力したときに点灯や点滅を行う。また、表示灯１７ａは、例えばランプ１１の制御内容に合わせて点灯や点滅など点灯方法を変える。表示部１７は、例えば、電波の受信の有無や、ランプ１１の制御内容を外部に表示するのに用いることができる。
【００２９】
リモコン装置２は、図３に示すように、ユーザーにより操作される操作入力部である複数個（図４では、５個）の操作スイッチ２１と、操作スイッチ２１が操作されると照明装置１の点灯制御を指示する制御信号を生成して出力する制御回路２２と、制御信号を変調しＲＦ信号を生成して出力する高周波回路２３と、高周波回路２３の出力端に接続されるＲＦ給電部２４と、ＲＦ給電部２４を介して高周波回路２３と接続されＲＦ信号が伝達される送信アンテナとを備える。制御回路２２による制御信号の生成および送信アンテナの基本的な構成については後述する。
【００３０】
ところで、図４に示すように、リモコン装置２は、一方向に長く厚みの薄い直方体状に形成されたリモコン本体３１を備え、このリモコン本体３１に、制御回路２２や高周波回路２３（図３参照）を実現する種々の電子部品（図示せず）が実装された基板３５が収納された構成を有する。基板３５は、厚み方向がリモコン本体３１の厚み方向に一致するように定位置に固定される。
【００３１】
リモコン本体３１には、厚み方向の一面である操作面３１ａ側に露出するように上述の操作スイッチ２１が取り付けられるとともに、リモコン本体３１の操作面３１ａと略同形状の板状に形成されたカバー３２が取り付けられる。
【００３２】
カバー３２は、短手方向の一端部がリモコン本体３１の前壁の短手方向の一端部とヒンジ３３を介して結合され、閉位置にあるときにリモコン本体３１の操作面３１ａを覆う。
【００３３】
カバー３２には、カバー３２を閉じた状態において操作スイッチ２１を露出させる露出窓３４が開設される。つまり、カバー３２を閉じた状態と開いた状態との両方の状態において操作スイッチ２１を操作することができる。露出窓３４の代わりに、カバー３２が閉位置にあるときに操作スイッチ２１を操作可能な操作部（例えば、押しボタン）をカバー３２に設けることもできる。
【００３４】
カバー３２の開閉は、リモコン本体３１に設けられた検知スイッチ（図示せず）により制御回路２２が検知する。検知スイッチには、例えば、押しボタンスイッチが用いられ、カバー３２が閉じられると検知スイッチを押し操作する操作突起がカバー３２の後面に突設される。
【００３５】
制御回路２２には、図３に示すように、検知スイッチのオンオフと、操作スイッチ２１のオンオフと、照明装置１の点灯、消灯や調光点灯などの操作内容との対応関係を記憶した制御テーブル２２ａが設けられる。制御回路２２は、操作スイッチ２１が操作されると、操作された操作スイッチ２１の種類と検知スイッチのオンオフとに応じた操作内容の制御信号を生成する。つまり、カバー３２を開いて操作スイッチ２１を操作したときと、カバー３２を閉じて操作スイッチ２１を操作したときとで、照明装置１の操作内容を変えることができる。例えば、照明装置１の点灯や消灯はカバー３２が閉じられていても開いていても行え、照明装置１の調光点灯における調光比の設定はカバー３２を開いたときにのみ行えるように上記対応関係を設定する。
【００３６】
ところで、上述したように、制御信号を変調することで生成されたＲＦ信号は、ＲＦ給電部２４を介して送信アンテナに伝達される。本実施形態では、図５に示すように、リモコン装置２は、送信アンテナとして主アンテナ４１と副アンテナ４２とを備える。
【００３７】
主アンテナ４１には、例えば、図６に示すモノポールアンテナ４１ａや八木アンテナ４１ｂを用いる。なお、以下では、リモコン本体３１の長手方向を前後方向として説明する。
【００３８】
主アンテナ４１にモノポールアンテナ４１ａを用いる場合は、リモコン本体３１の操作面３１ａの短手方向に沿うように、基板３５の前端部に設けられる。モノポールアンテナは、通常、長手方向に直交する面において等方性の指向性を有するが、本実施形態では、基板３５の前端部に設けるから、基板３５に実装された上述の電子部品などにより、リモコン本体３１の後方に放射される電波の放射強度が弱くなり、前方に放射される電波の放射強度が強くなる傾向がある。つまり、モノポールアンテナ４１ａは、リモコン本体３１の前方に放射される電波が他の方向に放射される電波より放射強度が強くなるような指向性を有する。
【００３９】
主アンテナ４１に八木アンテナ４１ｂを用いる場合は、八木アンテナ４１ｂは、リモコン本体３１の前方に電波を放射するように基板３５に設けられる。
【００４０】
つまり、本実施形態では、主アンテナ４１には、リモコン本体３１の前方に放射される電波が他の方向に放射される電波より放射強度が強くなるような指向性を有するアンテナを用いる。
【００４１】
一方、副アンテナ４２には、図７に示すループアンテナ４２ａやロットアンテナ４２ｂを用いる。ループアンテナ４２ａは、導体パターンにより基板３５の縁端部の全周に亘ってループ状に形成されリモコン本体３１の厚み方向に電波を放射するような指向性を有する。ロットアンテナ４２ｂは、リモコン本体３１の前面の短手方向に沿うように基板３５とは別に設けられ、リモコン本体３１の操作面３１ａの短手方向に電波を放射するような指向性を有する。
【００４２】
主アンテナ４１と副アンテナ４２とからそれぞれ電波が放射される場合における主アンテナ４１と副アンテナ４２とから成るアンテナの指向性について、詳しく説明する。
【００４３】
主アンテナ４１にモノポールアンテナ４１ａを用い、副アンテナ４２にループアンテナ４２ａを用いた場合において、モノポールアンテナ４１ａとループアンテナ４２ａとから電波が放射されると、上述したループアンテナ４２ａの傾向（前方に放射する電波の放射強度が強くなる傾向）が緩和される知見が得られている。つまり、主アンテナ４１にモノポールアンテナ４１ａを用い、副アンテナ４２にループアンテナ４２ａを用いた場合、主アンテナ４１と副アンテナ４２とから成るアンテナは、全体として無指向性になる。
【００４４】
主アンテナ４１に八木アンテナ４１ｂを用い、副アンテナ４２にループアンテナ４２ａを用いた場合、上述のように、八木アンテナ４１ｂはリモコン本体３１の前方に電波を放射し、ループアンテナ４２ａはリモコン本体３１の厚み方向に電波を放射するから、主アンテナ４１と副アンテナ４２とから成るアンテナは、全体として無指向性になる。
【００４５】
主アンテナ４１にモノポールアンテナ４１ａを用い、副アンテナ４２にロットアンテナ４２ｂを用いた場合、上述のように、モノポールアンテナ４１ａはリモコン本体３１の前方に放射する電波の放射強度が他の方向に放射する電波の放射強度よりも強い指向性を有し、ロットアンテナ４２ｂはリモコン本体３１の操作面３１ａの短手方向に電波を放射するから、主アンテナ４１と副アンテナ４２とから成るアンテナは、全体として無指向性になる。
【００４６】
主アンテナ４１に八木アンテナ４１ｂを用い、副アンテナ４２にロットアンテナ４２ｂを用いた場合、上述のように、八木アンテナ４１ｂはリモコン本体３１の前方に電波を放射し、ロットアンテナ４２ｂはリモコン本体３１の操作面３１ａの短手方向に電波を放射するから、主アンテナ４１と副アンテナ４２とから成るアンテナの指向性は、全体として無指向性になる。
【００４７】
上述のように、主アンテナ４１は、リモコン本体３１の前方に放射する電波の放射強度が他の方向に放射する電波の放射強度よりも強い指向性を有し、主アンテナ４１と副アンテナ４２とから成るアンテナは、いずれの組み合わせにおいても全体として無指向性になる。ここに、主アンテナ４１をアンテナ部とし、主アンテナ４１と副アンテナ４２とから成るアンテナを他のアンテナ部とすると、主アンテナ４１から成るアンテナ部は指向性を有し、主アンテナ４１と副アンテナ４２とから成るアンテナ部は無指向性であるから、２つのアンテナ部は電波の到達範囲が互いに異なる。
【００４８】
ところで、本実施形態では、主アンテナ４１は、ＲＦ給電部２４に接続され、高周波回路２３がＲＦ信号を出力すると電波を放射する。一方、副アンテナ４２は、ＲＦ給電部２４および主アンテナ４１に接続しないように設けられる。
【００４９】
ここに、リモコン本体３１の前壁には、副アンテナ４２（または、副アンテナ４２に接続する導体パターン）と、ＲＦ給電部２４（または、主アンテナ４１やＲＦ給電部２４に接続する導体パターン）とを前面側に露出させる露出孔３１ｂが開設され、カバー３２には、カバー３２が閉じられると露出孔３１ｂからリモコン本体３１内に進入して基板３５に先端面が当接する挿入突起６１が設けられる。
【００５０】
挿入突起６１は、カバー３２の後面から突出する基部６１ａと、基部６１ａの先端面に設けられたＲＦ給電部６１ｂとを備える。ＲＦ給電部６１ｂは、例えば、基部６１ａの先端面に貼着された金属膜により形成される。つまり、カバー３２が閉じられると、ＲＦ給電部６１ｂによりＲＦ給電部２４と副アンテナ４２とが短絡され、主アンテナ４１および副アンテナ４２から電波が放射される。つまり、挿入突起６１は、カバー３２が開位置にあるときに主アンテナ４１から成るアンテナ部を選択して電波を放射させ、カバー３２が閉位置にあるときに主アンテナ４１および副アンテナ４２から成るアンテナ部を選択して電波を放射させる選択手段である。
【００５１】
しかして、カバー３２を閉じた状態でリモコン装置２を使用すると、主アンテナ４１および副アンテナ４２から電波が放射され、その結果、図１（ａ）に示すように種々の方向に電波が放射され（図の矢印参照）、複数台の照明装置１を一括して操作することができる。一方、カバー３２を開いた状態でリモコン装置２を使用すると、指向性を有する主アンテナ４１から電波が放射され、その結果、図１（ｂ）に示すようにリモコン装置２が向く方向（リモコン本体３１の前方）に電波（図の矢印参照）が放射され、リモコン装置２が向けられた照明装置１を操作することができる。
【００５２】
本実施形態の照明システムで照明シーンを作るに当っては、例えば、複数台の照明装置１をリモコン装置２で一括して点灯させた後、消灯させたい照明装置１や調光比の調整が必要な照明装置１をリモコン装置２で個々に操作する。
【００５３】
本実施形態では、ＩＤ番号やチャンネルを用いないから、ＩＤ番号をリモコン装置２に登録する登録作業や各照明装置１にチャンネルを設定する設定作業が不要である。
【００５４】
また、リモコン装置２が向けられた照明装置１が操作対象になる照明装置１であるから、ＩＤ番号やチャンネルを用いて照明装置１をグループ分けしグループごとに照明装置１を一括して操作する照明システムに比べ、操作したい照明装置１以外の照明装置１を誤って操作する虞を低減することができる。
【００５５】
さらに、複数台の照明装置１を一括して操作することができるから、照明装置１を１台ずつ操作して照明シーンを作る技術に比べ、照明シーンを作る際にかかる手間を減らすことができる。
【００５６】
さらにまた、主アンテナ４１に指向性を有するアンテナを用いるから、主アンテナ４１における電波の到達距離を長くでき、その結果、より遠くから照明装置１をリモコン装置２で操作することができる。
【００５７】
ところで、上述の構成例では、リモコン本体３１に副アンテナ４２を設けた例を説明したが、図９に示すように、副アンテナ４２をカバー３２に設けることもできる。副アンテナ４２は、カバー３２の後面に導体パターンにより形成され、挿入突起６１に設けられたＲＦ給電部６１ｂと電気的に接続される。
【００５８】
また、上述の構成例では、カバー３２を閉じたときにＲＦ給電部２４と副アンテナ４２とを短絡する例を説明したが、カバー３２を開いたときに主アンテナ４１と副アンテナ４２とを短絡する構成とすることもできる。例えば、図１０に示すように、主アンテナ４１と副アンテナ４２との間において基板３５に開口３５ａを開設し、操作突起６１の代わりに、カバー３２が閉じられると開口３５ａに挿入される操作突起６１’をカバー３２の後面に突設し、カバー３２が閉位置にあるときに操作突起６１’の先端面に当接する当接体５１と、当接体５１を操作面３１ａ側に付勢するばね５２とをリモコン本体３１に設ける。当接体５１は、開口３５ａを閉塞し、開口３５ａを閉塞したときに主アンテナ４１と副アンテナ４２とを短絡できるような形状に形成される。カバー３２が開かれると、ばね５２の弾性力により当接体５１が操作面３１ａ側に移動して基板３５の開口３５ａを閉塞し、当接体５１により主アンテナ４１と副アンテナ４２とが短絡される。
【００５９】
さらに、上述の構成例では、主アンテナ４１から成るアンテナ部と、主アンテナ４１および副アンテナ４２から成るアンテナ部との一方を選択手段で選択する例を説明したが、副アンテナ４２に無指向性のアンテナを用い、主アンテナ４１と副アンテナ４２との一方を選択手段により選択して電波の到達範囲を変えることもできる。
【００６０】
さらにまた、本実施形態では、２つのアンテナ部の指向性の違いにより電波の到達範囲を変える構成を説明したが、２つのアンテナ部がそれぞれ放射する電波の放射強度の違いにより電波の到達範囲を変えることもできる。放射強度の弱い電波を放射することで近くの照明装置１を操作し、放射強度の強い電波を放射することで近くの照明装置１と遠くの照明装置１とを一括して操作する。
【符号の説明】
【００６１】
１  照明装置
２  リモコン装置
１３  受信アンテナ
３１  リモコン本体
３１ｂ  露出孔
３２  カバー
４１  主アンテナ
４２  副アンテナ
６１  挿入突起（選択手段）
【図１】
0005385755.tif 000002
【図２】
0005385755.tif 000003
【図３】
0005385755.tif 000004
【図４】
0005385755.tif 000005
【図５】
0005385755.tif 000006
【図６】
0005385755.tif 000007
【図７】
0005385755.tif 000008
【図８】
0005385755.tif 000009
【図９】
0005385755.tif 000010
【図１０】
0005385755.tif 000011
【図１１】
0005385755.tif 000012
【図１２】
0005385755.tif 000013